(57)【特許請求の範囲】
【請求項１】
外殻を含み、前記外殻の中には殺菌機構が設置され、前記外殻の中には前記殺菌機構の作動を制御できる制御機構が設置され、前記外殻の中には蓋の落下を制御できる移動機構が設置され、前記外殻の中には動力を提供できる駆動機構が設置され、前記外殻の中には蓋と瓶とを固定できる昇降機構が設置され、前記外殻の中には瓶を封止できる封止機構が設置され、
前記殺菌機構は水平移動空間を含み、前記水平移動空間の上端壁は外界と連通し、前記水平移動空間の下端壁の中には前記水平移動空間と連通する殺菌空間が設置され、前記水平移動空間の中には移動板が設置され、前記移動板の右端面には連結板が固定的に連結され、前記移動板の上端には阻隔板が固定され、前記殺菌空間の右端壁には蓋を殺菌できる殺菌器が固定的に連結され、前記殺菌空間の上端壁には阻隔ブロックが固定的に連結され、前記殺菌空間の中には蓋を搬送できるベルトが設置され、前記殺菌空間の中には中間板が設置され、前記殺菌空間の下端壁の中には作業空間が設置され、前記作業空間の上端壁は前記殺菌空間の下端壁の右側と連通し、前記作業空間の中には瓶を搬送できる搬送ベルトが設置され、
作業時に、前記搬送ベルトは瓶を駆動して右方へ運動させ、本願装置に送り、前記駆動機構は動力を前記制御機構と前記移動機構とに伝達し、前記制御機構と前記移動機構は蓋を殺菌して瓶の上面に落下させ、前記駆動機構は動力を前記昇降機構に伝達し、前記昇降機構は前記封止機構を下方へ移動させて瓶と蓋とを固定し、前記封止機構は蓋を瓶にねじ込み、蓋に対する殺菌と瓶口に対する封止とを完了とし、
前記制御機構は前記水平移動空間の右端壁の中に位置する制御空間を含み、前記制御空間の前端壁には第一従動軸が回転可能に連結され、前記第一従動軸の前端には第一従動傘歯車が固定的に連結され、前記第一従動軸の後端には旋転円盤が固定的に連結され、前記制御空間の中には水平移動板が設置され、前記水平移動板の中には縦溝が形成され、前記旋転円盤には旋転ピンが回転可能に連結され、前記旋転ピンの後端は前記縦溝の中に位置し、前記水平移動板の左端には前記連結板が固定的に連結され、前記連結板の左端は前記制御空間の左端壁を貫通し、かつ前記水平移動空間の中に位置し、前記制御機構はさらに前記制御空間の右端壁の中に位置する伝動空間を含み、前記伝動空間の右端壁には伝動軸が回転可能に連結され、前記伝動軸の左端は前記伝動空間の左端壁を貫通し、かつ前記制御空間の中に位置し、前記伝動軸の左端には前記第一従動傘歯車と噛み合った第一回転傘歯車が固定的に連結され、前記伝動軸の右端には第二回転傘歯車が固定的に連結され、前記伝動空間の右端には支持板が固定的に連結され、前記支持板の左端には回転軸が回転可能に連結され、前記回転軸の上端には前記第二回転傘歯車と噛み合った回転傘歯車が固定的に連結されており、
前記移動機構は前記伝動空間の下端壁の中に位置する移動空間を含み、前記移動空間の左端壁には固定ブロックが固定的に連結され、前記固定ブロックの右端には旋転軸が回転可能に連結され、前記旋転軸の下端には前記移動空間の中に位置する回転円盤が固定的に連結され、前記回転円盤の下端面には移動ピンが回転可能に連結され、前記移動空間の中にはスライダが設置され、前記スライダの中にはスライダ空間が設置され、前記移動ピンの上端は前記スライダ空間の中に位置し、前記スライダの上端には中間板が設置され、前記中間板の左端は前記移動空間の左端壁を貫通し、かつ前記殺菌空間の中に位置し、
前記駆動機構は前記伝動空間の下端壁の中に位置する駆動空間を含み、前記駆動空間の左端壁には駆動モータが固定的に連結され、前記駆動モータには動力軸が伝動可能に連結され、前記動力軸の左端には第一動力傘歯車が固定的に連結され、前記回転軸の下端は前記伝動空間の下端壁を貫通し、かつ前記第一動力傘歯車と噛み合った第一伝動傘歯車と固定的に連結され、前記駆動空間の中には旋転軸が設置され、前記旋転軸の上端には前記第一動力傘歯車と噛み合った第二伝動傘歯車が固定的に連結されており、
前記昇降機構は前記移動空間の右端壁の中に位置する圧迫空間を含み、前記圧迫空間の前端壁には第二従動軸が回転可能に連結され、前記第二従動軸の前端には第二従動傘歯車が固定的に連結され、前記動力軸の右端は前記駆動空間の右端壁を貫通し、かつ前記第二従動傘歯車と噛み合った第二動力傘歯車と固定的に連結され、前記第二従動軸の後端には作業円盤が固定的に連結され、前記圧迫空間の中には縦移動板が設置され、前記縦移動板の中には縦移動板空間が設置され、前記作業円盤には回転ピンが回転可能に連結され、前記回転ピンの下端は前記縦移動板空間の中に位置し、前記縦移動板の右端面には固定板が固定的に連結され、前記固定板の下端面には封止機構が固定的に連結され、前記圧迫空間の中の左右端壁には左右対称の二つの当接圧迫機構が固定的に連結され、前記当接圧迫機構は当接圧迫ブロックを含み、前記当接圧迫ブロックの中には当接圧迫ブロック空間が設置され、前記当接圧迫ブロック空間の中には水平ばねが設置され、前記水平ばねは前記当接圧迫ブロック空間の中に位置し、かつ前記圧迫空間の端壁に固定され、前記水平ばねにおいて前記圧迫空間の端壁から離れた一端には移動ブロックが固定され、前記移動ブロックにおいて前記水平ばねから離れた一端は前記当接圧迫ブロックを貫通し、かつ前記圧迫空間の中に位置し、さらに三角板と固定的に連結されており、
前記封止機構は前記圧迫空間の中に位置する下方摺動ブロックを含み、前記下方摺動ブロックの中には下方摺動ブロック空間が設置され、前記下方摺動ブロック空間の上端壁には回転モータが固定的に連結され、前記回転モータには回転モータ軸が伝動可能に連結され、前記回転モータ軸の下端面には圧迫円盤が固定的に連結され、前記圧迫円盤の中には圧迫円盤空間が設置され、前記圧迫円盤空間の中には圧迫円弧ブロックが設置され、前記圧迫円弧ブロックにおいて前記圧迫円盤に近接する一端には二つの円弧板が固定的に連結され、前記円弧板において前記圧迫円弧ブロックから離れた一端は前記圧迫円盤を貫通し、かつ前記下方摺動ブロック空間の中に位置し、前記下方摺動ブロック空間の左右両端には水平移動ブロックが二つ設置され、前記水平移動ブロックにおいて前記圧迫円盤から離れた一端には台形ブロックが固定的に連結され、前記水平移動ブロックにおいて前記圧迫円盤に近接する一端には中間ブロックが固定的に連結され、前記中間ブロックの下端面には連結ブロックが固定的に連結され、前記連結ブロックにおいて前記圧迫円盤に近接する一端には圧迫板が固定的に連結されていることを特徴とする殺菌機能付きの瓶口封止装置。
【請求項２】
前記水平移動板と、前記移動板と、前記連結板と、前記水平移動空間とがはじめに右限界位置に位置することを特徴とする請求項１に記載の殺菌機能付きの瓶口封止装置。
【請求項３】
前記水平ばねははじめに自由状態にあることを特徴とする請求項１に記載の殺菌機能付きの瓶口封止装置。
【請求項４】
前記搬送ベルトと前記ベルトとは同期的に、かつ断続的に運動し、また、断続運動における作動時間は同じであり、前記第一従動軸と、前記回転円盤と、前記第二従動軸とが半周を回転する時間は、前記搬送ベルトの作動時間と同じであることを特徴とする請求項１に記載の殺菌機能付きの瓶口封止装置。
【発明の詳細な説明】
【技術分野】
【０００１】
本願発明は工業生産分野を取り上げ、特に殺菌機能付きの瓶口封止装置に関わる。
【背景技術】
【０００２】
工業生産において、ガラス瓶には封止作業を行う必要があり、そして封止する前に、蓋に殺菌処理を行う必要もある。そのため、殺菌と封止との一体化は封止作業を簡単にし、流れ作業に便利を与えられ、
現段階で、封止過程において、予めに蓋を殺菌し、そこからはじめて蓋を瓶にねじ込んで瓶を密封する。しかし、これでは生産作業を複雑にし、そして殺菌された蓋の保存も難題の一つである。
【先行技術文献】
【特許文献】
【０００３】
【特許文献１】中国特許出願公開第１０８０３３４１７号明細書
【発明の概要】
【発明が解決しようとする課題】
【０００４】
本願発明は殺菌機能付きの瓶口封止装置を提供し、殺菌と封止とが同じ装置で行われないという問題を解消し、瓶口封止装置の簡易化を可能にすることを目的とする。
【課題を解決するための手段】
【０００５】
本願発明は以下の技術的解決策で実現される。
【０００６】
本願発明の殺菌機能付きの瓶口封止装置は、外殻を含み、前記外殻の中には殺菌機構が設置され、前記外殻の中には前記殺菌機構の作動を制御できる制御機構が設置され、前記外殻の中には蓋の落下を制御できる移動機構が設置され、前記外殻の中には動力を提供できる駆動機構が設置され、前記外殻の中には蓋と瓶とを固定できる昇降機構が設置され、前記外殻の中には瓶を封止できる封止機構が設置され、
前記殺菌機構は水平移動空間を含み、前記水平移動空間の上端壁は外界と連通し、前記水平移動空間の下端壁の中には前記水平移動空間と連通する殺菌空間が設置され、前記水平移動空間の中には移動板が設置され、前記移動板の右端面には連結板が固定的に連結され、前記移動板の上端には阻隔板が固定され、前記殺菌空間の右端壁には蓋を殺菌できる殺菌器が固定的に連結され、前記殺菌空間の上端壁には阻隔ブロックが固定的に連結され、前記殺菌空間の中には蓋を搬送できるベルトが設置され、前記殺菌空間の中には中間板が設置され、前記殺菌空間の下端壁の中には作業空間が設置され、前記作業空間の上端壁は前記殺菌空間の下端壁の右側と連通し、前記作業空間の中には瓶を搬送できる搬送ベルトが設置され、
作業時に、前記搬送ベルトは瓶を駆動して右方へ運動させ、本願装置に送り、前記駆動機構は動力を前記制御機構と前記移動機構とに伝達し、前記制御機構と前記移動機構は蓋を殺菌して瓶の上面に落下させ、前記駆動機構は動力を前記昇降機構に伝達し、前記昇降機構は前記封止機構を下方へ移動させて瓶と蓋とを固定し、前記封止機構は蓋を瓶にねじ込み、蓋に対する殺菌と瓶口に対する封止とを完了とする。
【０００７】
さらに、前記制御機構は前記水平移動空間の右端壁の中に位置する制御空間を含み、前記制御空間の前端壁には第一従動軸が回転可能に連結され、前記第一従動軸の前端には第一従動傘歯車が固定的に連結され、前記第一従動軸の後端には旋転円盤が固定的に連結され、前記制御空間の中には水平移動板が設置され、前記水平移動板の中には縦溝が形成され、前記旋転円盤には旋転ピンが回転可能に連結され、前記旋転ピンの後端は前記縦溝の中に位置し、前記水平移動板の左端には前記連結板が固定的に連結され、前記連結板の左端は前記制御空間の左端壁を貫通し、かつ前記水平移動空間の中に位置し、前記制御機構はさらに前記制御空間の右端壁の中に位置する伝動空間を含み、前記伝動空間の右端壁には伝動軸が回転可能に連結され、前記伝動軸の左端は前記伝動空間の左端壁を貫通し、かつ前記制御空間の中に位置し、前記伝動軸の左端には前記第一従動傘歯車と噛み合った第一回転傘歯車が固定的に連結され、前記伝動軸の右端には第二回転傘歯車が固定的に連結され、前記伝動空間の右端には支持板が固定的に連結され、前記支持板の左端には回転軸が回転可能に連結され、前記回転軸の上端には前記第二回転傘歯車と噛み合った回転傘歯車が固定的に連結されている。
【０００８】
さらに、前記移動機構は前記伝動空間の下端壁の中に位置する移動空間を含み、前記移動空間の左端壁には固定ブロックが固定的に連結され、前記固定ブロックの右端には旋転軸が回転可能に連結され、前記旋転軸の下端には前記移動空間の中に位置する回転円盤が固定的に連結され、前記回転円盤の下端面には移動ピンが回転可能に連結され、前記移動空間の中にはスライダが設置され、前記スライダの中にはスライダ空間が設置され、前記移動ピンの上端は前記スライダ空間の中に位置し、前記スライダの上端には中間板が設置され、前記中間板の左端は前記移動空間の左端壁を貫通し、かつ前記殺菌空間の中に位置する。
【０００９】
さらに、前記駆動機構は前記伝動空間の下端壁の中に位置する駆動空間を含み、前記駆動空間の左端壁には駆動モータが固定的に連結され、前記駆動モータには動力軸が伝動可能に連結され、前記動力軸の左端には第一動力傘歯車が固定的に連結され、前記回転軸の下端は前記伝動空間の下端壁を貫通し、かつ前記第一動力傘歯車と噛み合った第一伝動傘歯車と固定的に連結され、前記駆動空間の中には旋転軸が設置され、前記旋転軸の上端には前記第一動力傘歯車と噛み合った第二伝動傘歯車が固定的に連結されている。
【００１０】
さらに、前記昇降機構は前記移動空間の右端壁の中に位置する圧迫空間を含み、前記圧迫空間の前端壁には第二従動軸が回転可能に連結され、前記第二従動軸の前端には第二従動傘歯車が固定的に連結され、前記動力軸の右端は前記駆動空間の右端壁を貫通し、かつ前記第二従動傘歯車と噛み合った第二動力傘歯車と固定的に連結され、前記第二従動軸の後端には作業円盤が固定的に連結され、前記圧迫空間の中には縦移動板が設置され、前記縦移動板の中には縦移動板空間が設置され、前記作業円盤には回転ピンが回転可能に連結され、前記回転ピンの下端は前記縦移動板空間の中に位置し、前記縦移動板の右端面には固定板が固定的に連結され、前記固定板の下端面には封止機構が固定的に連結され、前記圧迫空間の中の左右端壁には左右対称の二つの当接圧迫機構が固定的に連結され、前記当接圧迫機構は当接圧迫ブロックを含み、前記当接圧迫ブロックの中には当接圧迫ブロック空間が設置され、前記当接圧迫ブロック空間の中には水平ばねが設置され、前記水平ばねは前記当接圧迫ブロック空間の中に位置し、かつ前記圧迫空間の端壁に固定され、前記水平ばねにおいて前記圧迫空間の端壁から離れた一端には移動ブロックが固定され、前記移動ブロックにおいて前記水平ばねから離れた一端は前記当接圧迫ブロックを貫通し、かつ前記圧迫空間の中に位置し、さらに三角板と固定的に連結されている。
【００１１】
さらに、前記封止機構は前記圧迫空間の中に位置する下方摺動ブロックを含み、前記下方摺動ブロックの中には下方摺動ブロック空間が設置され、前記下方摺動ブロック空間の上端壁には回転モータが固定的に連結され、前記回転モータには回転モータ軸が伝動可能に連結され、前記回転モータ軸の下端面には圧迫円盤が固定的に連結され、前記圧迫円盤の中には圧迫円盤空間が設置され、前記圧迫円盤空間の中には圧迫円弧ブロックが設置され、前記圧迫円弧ブロックにおいて前記圧迫円盤に近接する一端には二つの円弧板が固定的に連結され、前記円弧板において前記圧迫円弧ブロックから離れた一端は前記圧迫円盤を貫通し、かつ前記下方摺動ブロック空間の中に位置し、前記下方摺動ブロック空間の左右両端には水平移動ブロックが二つ設置され、前記水平移動ブロックにおいて前記圧迫円盤から離れた一端には台形ブロックが固定的に連結され、前記水平移動ブロックにおいて前記圧迫円盤に近接する一端には中間ブロックが固定的に連結され、前記中間ブロックの下端面には連結ブロックが固定的に連結され、前記連結ブロックにおいて前記圧迫円盤に近接する一端には圧迫板が固定的に連結されている。
【００１２】
さらに、前記水平移動板と、前記移動板と、前記連結板と、前記水平移動空間とがはじめに右限界位置に位置する。
【００１３】
さらに、前記水平ばねははじめに自由状態にある。
【００１４】
さらに、前記搬送ベルトと前記ベルトとは同期的に、かつ断続的に運動し、また、断続運動における作動時間は同じであり、前記第一従動軸と、前記回転円盤と、前記第二従動軸とが半周を回転する時間は、前記搬送ベルトの作動時間と同じである。
【発明の効果】
【００１５】
本願発明は以下のプラス効果を有する：本願発明は自動的にガラス瓶を封止でき、また、封止する前に蓋に殺菌処理を行うことができ、同じ装置で殺菌と封止との統一を可能にし、自動化レベルも高い。
【図面の簡単な説明】
【００１６】
下記に図１〜５を合わせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１７】
【図１】図１は本願発明の実施例の構成略図
【図２】図２は図１におけるＡ部の構成拡大略図
【図３】図３は図１におけるＢ部の構成拡大略図
【図４】図４は本願発明の実施例における移動機構の全断面の上面拡大構成略図
【図５】図５は本願発明の実施例における圧迫円盤の全断面の上面拡大構成略図
【発明を実施するための形態】
【００１８】
図１〜図５を合わせ、本願発明の殺菌機能付きの瓶口封止装置の実施例は、外殻１０を含み、前記外殻１０の中には殺菌機構７３が設置され、前記殺菌機構７３は水平移動空間１９が設置され、前記水平移動空間１９の上端壁は外界と連通し、前記水平移動空間１９の下端壁の中には前記水平移動空間１９と連通する殺菌空間１５が設置され、前記水平移動空間１９の中には移動板１７が設置され、前記移動板１７の右端面には連結板１８が固定的に連結され、前記移動板１７の上端には阻隔板１６が固定され、前記殺菌空間１５の右端壁には蓋を殺菌できる殺菌器１３が固定的に連結され、前記殺菌空間１５の上端壁には阻隔ブロック１４が固定的に連結され、前記殺菌空間１５の中には蓋を搬送できるベルト１２が設置され、前記殺菌空間１５の中には中間板５５が設置され、前記殺菌空間１５の下端壁の中には作業空間１１が設置され、前記作業空間１１の上端壁は前記殺菌空間１５の下端壁の右側と連通し、前記作業空間１１の中には瓶を搬送できる搬送ベルト５７が設置され、前記外殻１０の中には前記殺菌機構７３の作動を制御できる制御機構７４が設置され、前記外殻１０の中には蓋の落下を制御できる移動機構７５が設置され、前記外殻１０の中には動力を提供できる駆動機構７６が設置され、前記外殻１０の中には蓋と瓶とを固定できる昇降機構７７が設置され、前記外殻１０の中には瓶を封止できる封止機構７８が設置され、
作業時に、前記搬送ベルト５７は瓶を駆動して右方へ運動させ、本願装置に送り、前記駆動機構７６は動力を前記制御機構７４と前記移動機構７５とに伝達し、前記制御機構７４と前記移動機構７５は蓋を殺菌して瓶の上面に落下させ、前記駆動機構７６は動力を前記昇降機構７７に伝達し、前記昇降機構７７は前記封止機構７８を下方へ移動させて瓶と蓋とを固定し、前記封止機構７８は蓋を瓶にねじ込み、蓋に対する殺菌と瓶口に対する封止とを完了とする。
【００１９】
好ましくは、前記制御機構７４は前記水平移動空間１９の右端壁の中に位置する制御空間２２を含み、前記制御空間２２の前端壁には第一従動軸２６が回転可能に連結され、前記第一従動軸２６の前端には第一従動傘歯車２５が固定的に連結され、前記第一従動軸２６の後端には旋転円盤２４が固定的に連結され、前記制御空間２２の中には水平移動板２３が設置され、前記水平移動板２３の中には縦溝２１が形成され、前記旋転円盤２４には旋転ピン２０が回転可能に連結され、前記旋転ピン２０の後端は前記縦溝２１の中に位置し、前記水平移動板２３の左端には前記連結板１８が固定的に連結され、前記連結板１８の左端は前記制御空間２２の左端壁を貫通し、かつ前記水平移動空間１９の中に位置し、前記制御機構７４はさらに前記制御空間２２の右端壁の中に位置する伝動空間２９を含み、前記伝動空間２９の右端壁には伝動軸３１が回転可能に連結され、前記伝動軸３１の左端は前記伝動空間２９の左端壁を貫通し、かつ前記制御空間２２の中に位置し、前記伝動軸３１の左端には前記第一従動傘歯車２５と噛み合った第一回転傘歯車２７が固定的に連結され、前記伝動軸３１の右端には第二回転傘歯車３０が固定的に連結され、前記伝動空間２９の右端には支持板３４が固定的に連結され、前記支持板３４の左端には回転軸３３が回転可能に連結され、前記回転軸３３の上端には前記第二回転傘歯車３０と噛み合った回転傘歯車３２が固定的に連結されている。
【００２０】
好ましくは、前記移動機構７５は前記伝動空間２９の下端壁の中に位置する移動空間５６を含み、前記移動空間５６の左端壁には固定ブロック８３が固定的に連結され、前記固定ブロック８３の右端には旋転軸５３が回転可能に連結され、前記旋転軸５３の下端には前記移動空間５６の中に位置する回転円盤５２が固定的に連結され、前記回転円盤５２の下端面には移動ピン７２が回転可能に連結され、前記移動空間５６の中にはスライダ５４が設置され、前記スライダ５４の中にはスライダ空間５９が設置され、前記移動ピン７２の上端は前記スライダ空間５９の中に位置し、前記スライダ５４の上端には中間板５５が設置され、前記中間板５５の左端は前記移動空間５６の左端壁を貫通し、かつ前記殺菌空間１５の中に位置する。
【００２１】
好ましくは、前記駆動機構７６は前記伝動空間２９の下端壁の中に位置する駆動空間３８を含み、前記駆動空間３８の左端壁には駆動モータ３５が固定的に連結され、前記駆動モータ３５には動力軸３９が伝動可能に連結され、前記動力軸３９の左端には第一動力傘歯車３６が固定的に連結され、前記回転軸３３の下端は前記伝動空間２９の下端壁を貫通し、かつ前記第一動力傘歯車３６と噛み合った第一伝動傘歯車３７と固定的に連結され、前記駆動空間３８の中には旋転軸５３が設置され、前記旋転軸５３の上端には前記第一動力傘歯車３６と噛み合った第二伝動傘歯車５１が固定的に連結されている。  
【００２２】
好ましくは、前記昇降機構７７は前記移動空間５６の右端壁の中に位置する圧迫空間４２を含み、前記圧迫空間４２の前端壁には第二従動軸６２が回転可能に連結され、前記第二従動軸６２の前端には第二従動傘歯車６３が固定的に連結され、前記動力軸３９の右端は前記駆動空間３８の右端壁を貫通し、かつ前記第二従動傘歯車６３と噛み合った第二動力傘歯車５８と固定的に連結され、前記第二従動軸６２の後端には作業円盤６４が固定的に連結され、前記圧迫空間４２の中には縦移動板４０が設置され、前記縦移動板４０の中には縦移動板空間６０が設置され、前記作業円盤６４には回転ピン６１が回転可能に連結され、前記回転ピン６１の下端は前記縦移動板空間６０の中に位置し、前記縦移動板４０の右端面には固定板４１が固定的に連結され、前記固定板４１の下端面には封止機構７８が固定的に連結され、前記圧迫空間４２の中の左右端壁には左右対称の二つの当接圧迫機構７９が固定的に連結され、前記当接圧迫機構７９は当接圧迫ブロック５０を含み、前記当接圧迫ブロック５０の中には当接圧迫ブロック空間４９が設置され、前記当接圧迫ブロック空間４９の中には水平ばね４７が設置され、前記水平ばね４７は前記当接圧迫ブロック空間４９の中に位置し、かつ前記圧迫空間４２の端壁に固定され、前記水平ばね４７において前記圧迫空間４２の端壁から離れた一端には移動ブロック４８が固定され、前記移動ブロック４８において前記水平ばね４７から離れた一端は前記当接圧迫ブロック５０を貫通し、かつ前記圧迫空間４２の中に位置し、さらに三角板４６と固定的に連結されている。
【００２３】
好ましくは、前記封止機構７８は前記圧迫空間４２の中に位置する下方摺動ブロック４４を含み、前記下方摺動ブロック４４の中には下方摺動ブロック空間６７が設置され、前記下方摺動ブロック空間６７の上端壁には回転モータ４３が固定的に連結され、前記回転モータ４３には回転モータ軸４５が伝動可能に連結され、前記回転モータ軸４５の下端面には圧迫円盤６９が固定的に連結され、前記圧迫円盤６９の中には圧迫円盤空間７１が設置され、前記圧迫円盤空間７１の中には圧迫円弧ブロック７０が設置され、前記圧迫円弧ブロック７０において前記圧迫円盤６９に近接する一端には二つの円弧板６８が固定的に連結され、前記円弧板６８において前記圧迫円弧ブロック７０から離れた一端は前記圧迫円盤６９を貫通し、かつ前記下方摺動ブロック空間６７の中に位置し、前記下方摺動ブロック空間６７の左右両端には水平移動ブロック６６が二つ設置され、前記水平移動ブロック６６において前記圧迫円盤６９から離れた一端には台形ブロック６５が固定的に連結され、前記水平移動ブロック６６において前記圧迫円盤６９に近接する一端には中間ブロック８０が固定的に連結され、前記中間ブロック８０の下端面には連結ブロック８１が固定的に連結され、前記連結ブロック８１において前記圧迫円盤６９に近接する一端には圧迫板８２が固定的に連結されている。
【００２４】
好ましくは、前記水平移動板２３と、前記移動板１７と、前記連結板１８と、前記水平移動空間１９とがはじめに右限界位置に位置する。
【００２５】
好ましくは、前記水平ばね４７ははじめに自由状態にある。
【００２６】
好ましくは、前記搬送ベルト５７と前記ベルト１２とは同期的に、かつ断続的に運動し、また、断続運動における作動時間は同じであり、前記第一従動軸２６と、前記回転円盤５２と、前記第二従動軸６２とが半周を回転する時間は、前記搬送ベルト５７の作動時間と同じである。
【００２７】
装置全体の作動手順は以下の通りである。
【００２８】
１、装置を作動させ、搬送ベルト５７は瓶を駆動して右方へ運動させ、作業空間１１の中に送り、搬送ベルト５７は断続的に運動するため、搬送ベルト５７が瓶を駆動して移動板１７と殺菌空間１５との通路の真下に運動させるときに、運動を止め、回転軸３３は動力軸３９を駆動して回転させ、そして第一動力傘歯車３６は駆動されて回転し、さらに第一伝動傘歯車３７は駆動されて回転し、回転軸３３を駆動して回転させ、そして回転傘歯車３２は駆動されて回転し、第二回転傘歯車３０を駆動して回転させ、そして伝動軸３１は駆動されて回転し、第一回転傘歯車２７を駆動して回転させ、そして第一従動傘歯車２５は駆動されて回転し、さらに第一従動軸２６は駆動されて回転し、旋転円盤２４を駆動して回転させ、そして水平移動板２３は駆動されて左方へ移動し、連結板１８と、移動板１７と、阻隔板１６とを駆動して左方へ移動させ、水平移動空間１９の中にある蓋は押されて水平移動空間１９の左側下端の開口を通して殺菌空間１５の中に入り、殺菌器１３は殺菌空間１５の中に落下する蓋を殺菌し、殺菌完了後、搬送ベルト５７とベルト１２とが作動し、搬送ベルト５７は瓶を駆動して引き続き右方へ運動させ、ベルト１２は蓋を駆動して瓶と同期的に右方へ運動させ、阻隔ブロック１４の妨害により、蓋は右方への運動中に反時計回り方向へ倒れ、搬送ベルト５７が瓶を駆動して右方へ殺菌空間１５の右側下端の開口真下に送る過程中に、回転軸３３は動力軸３９を駆動して回転させ、そして第一動力傘歯車３６は駆動されて回転し、さらに第一伝動傘歯車３７は駆動されて回転し、回転軸３３を駆動して回転させ、そして回転傘歯車３２は駆動されて回転し、第二回転傘歯車３０を駆動して回転させ、そして伝動軸３１は駆動されて回転し、第一回転傘歯車２７を駆動して回転させ、そして第一従動傘歯車２５は駆動されて回転し、さらに第一従動軸２６は駆動されて回転し、旋転円盤２４を駆動して回転させ、そして水平移動板２３は駆動されて右方へ移動し、連結板１８と、移動板１７と、阻隔板１６とを駆動して右方へ運動させ、元の位置に戻し、阻隔板１６は水平移動空間１９の上端の開口を閉鎖しなくなり、水平移動空間１９の上端の開口を通じて蓋は外界から落下し、水平移動空間１９の中に入る。
【００２９】
２、搬送ベルト５７は瓶を駆動して殺菌空間１５の右側下端の開口の真下に運動させ、ベルト１２は蓋を駆動して殺菌空間１５の右側下端の開口の真上に運動させ、蓋自身の重量により、蓋は中間板５５に落下し、搬送ベルト５７とベルト１２とが運動を止め、回転軸３３は動力軸３９を駆動して回転させ、そして第一動力傘歯車３６は駆動されて回転し、さらに第二伝動傘歯車５１は駆動されて回転し、旋転軸５３を駆動して回転させ、そして回転円盤５２は駆動されて回転し、さらにスライダ５４は駆動されて右方へ運動し、さらに中間板５５は駆動されて右方へ運動し、蓋を支持しなくなり、そして蓋は自身の重量によって瓶に落下し、搬送ベルト５７が作動して瓶と瓶に落下した蓋とを駆動して引き続き運動させ、搬送ベルト５７が瓶と蓋とを駆動して右方へ封止機構７８の中央真下に運動させる過程中に、回転軸３３は動力軸３９を駆動して回転させ、そして第一動力傘歯車３６は駆動されて回転し、さらに第二伝動傘歯車５１は駆動されて回転し、旋転軸５３を駆動して回転させ、そして回転円盤５２は駆動されて回転し、さらにスライダ５４は駆動されて左方へ運動し、そして中間板５５は駆動されて左方へ運動して元の位置に戻る。
【００３０】
３、搬送ベルト５７が瓶と蓋とを駆動して右方へ封止機構７８の中央真下に運動させ、搬送ベルト５７は運動を止め、回転軸３３は動力軸３９を駆動して回転させ、そして第二動力傘歯車５８は駆動されて回転し、第二従動傘歯車６３を駆動して回転させ、そして第二従動軸６２は駆動されて回転し、作業円盤６４を駆動して回転させ、そして縦移動板４０は駆動されて下方へ運動し、さらに固定板４１は駆動されて下方へ運動し、封止機構７８を駆動して下方へ運動させ、封止機構７８は下方へ台形ブロック６５と三角板４６とが接触になるまで運動し、三角板４６の妨害により、台形ブロック６５は下方へ運動すると同時に、下方摺動ブロック空間６７の中心へ運動し、そして水平移動ブロック６６は駆動されて下方摺動ブロック空間６７の中心へ運動し、さらに中間ブロック８０と、連結ブロック８１と、圧迫板８２とは駆動されて下方摺動ブロック空間６７の中心へ運動し、瓶体と圧迫板８２とを固定し、水平移動ブロック６６が下方摺動ブロック空間６７の中心へ運動して円弧板６８と接触し、水平移動ブロック６６は円弧板６８を駆動して圧迫円盤空間７１の中心へ運動させ、そして圧迫円弧ブロック７０は駆動されて圧迫円盤空間７１の中心へ運動し、蓋と圧迫円弧ブロック７０とを固定し、回転モータ４３が回転モータ軸４５を駆動して回転させ、そして圧迫円盤６９は駆動されて回転し、さらに蓋は駆動されて回転し、瓶体は圧迫板８２に固定されて回転できないため、蓋は瓶にねじ込まれ、封止を完了とする。
【００３１】
４、搬送ベルト５７が左側の次の瓶と蓋とを駆動して右方へ封止機構７８の中央真下に運動させる過程中に、回転軸３３は動力軸３９を駆動して回転させ、そして第二動力傘歯車５８は駆動されて回転し、第二従動傘歯車６３を駆動して回転させ、そして第二従動軸６２は駆動されて回転し、作業円盤６４を駆動して回転させ、そして縦移動板４０は駆動されて下上方へ運動し、さらに固定板４１は駆動されて上方へ運動し、封止機構７８を駆動して上方へ運動させ、元の位置に戻す。
【００３２】
以上の実施例はあくまで本発明の技術的思想と特徴を説明するためのものであり、本分野の技術者に本発明を理解できることと実施できることを目的とし、本発明を限定するためのものではなく、本発明の意義と原則のもとで行われたいかなる修正と、等価置換と改善などは本発明の保護範囲に含まれるべきである。
【要約】
【課題】本願は殺菌機能付きの瓶口封止装置を開示した。
【解決手段】
本願は殺菌機能付きの瓶口封止装置を開示し、外殻を含み、前記外殻の中には殺菌機構が設置され、前記外殻の中には前記殺菌機構の作動を制御できる制御機構が設置され、前記外殻の中には蓋の落下を制御できる移動機構が設置され、前記外殻の中には動力を提供できる駆動機構が設置され、前記外殻の中には蓋と瓶とを固定できる昇降機構が設置され、前記外殻の中には瓶を封止できる封止機構が設置され、自動的にガラス瓶を封止でき、また、封止する前に蓋に殺菌処理を行うことができ、同じ装置で殺菌と封止との統一を可能にし、自動化レベルも高い。
【選択図】図１【図１】
0006753014.tif 000002
【図２】
0006753014.tif 000003
【図３】
0006753014.tif 000004
【図４】
0006753014.tif 000005
【図５】
0006753014.tif 000006